(57)【特許請求の範囲】
【請求項１】
音声吹き込み部として機能する基端部と、その基端部から管状につながって拡声作用を奏する先端側の本体部とによってメガホン本体を構成し、メガホン本体には紐通し部が設けられており、
前記メガホン本体は２個を一組として、夫々のメガホン本体には吊り紐が紐通し部を通して装着され、
夫々のメガホン本体は分離してそのメガホン本体同士を打ち合わせできるメガホンであって、
前記メガホン本体の本体部分は略半円錐筒状をなし、その小径側の基端部は半円筒状をなしており、
２個一組のメガホン本体は平面側を揃えた状態にて基端部において位置決めして組合せ、２個のメガホン本体の先端側の本体部が略円錐形状に、基端部が筒状をなすとともに、
そのメガホン本体の一方の基端部に突出部を、他方の基端部に突出部に対する嵌合部を設けて、この突出部と嵌合部によって組合せ部を構成し、この組合せ部によって２個のメガホン本体は着脱自在に組み合わされており、
該メガホン本体は略半円錐筒状部分と基端部との間に可撓性部を備え、
その２個一組のメガホン本体はその組合せ部を分離した状態で一本ずつのメガホン本体同士を打ち合わせできるだけでなく、
２個のメガホン本体の組合せ部による組合せ状態で両メガホン本体の先端側の本体部を可撓性部によって開閉させて打ち合わせできることを特徴とするメガホン。
【請求項２】
前記組合せ部を構成する突出部は軸部によって構成され、また、嵌合部はその軸部に嵌め合う軸受け溝で構成され、互いに着脱自在に嵌合するものである請求項１に記載のメガホン。
【請求項３】
前記組合せ部を構成する突出部は突起によって構成され、また、嵌合部はその突起に嵌め合う凹部で構成され、互いに着脱自在に嵌合するものである請求項１に記載のメガホン。
【発明の詳細な説明】
【０００１】
【発明の属する技術分野】
本発明は、スポーツの応援等に好適なメガホンに関する。
【０００２】
【従来の技術】
従来、スポーツの応援等に際し、拍子木のようにも使用可能なメガホンとしては、半円錐筒状に形成された２個のメガホン本体を基端部において開閉自在に連結したメガホン（実公平３−２０８７９号公報に記載のメガホン等）が知られている。
【０００３】
【発明が解決しようとする課題】
しかし、上記のメガホンにおいては、片手にてメガホンを持ってメガホン本体同士を打ち合わせなければならないという問題がある。
従って、本発明の目的は、片手にて２つのメガホン本体同士を開閉させて拍子木のように打ち合わせることができるとともに、２つのメガホン本体を着脱自在とすることにより、両手にメガホン本体を１つづつ持ってそのメガホン本体同士を打ち合わせることもできるメガホンを提供することにある。
【０００４】
【課題を解決するための手段】
請求項１に記載の発明は、音声吹き込み部として機能する基端部と、その基端部から管状につながって拡声作用を奏する先端側の本体部とによってメガホン本体を構成し、メガホン本体には紐通し部が設けられており、前記メガホン本体は２個を一組として、夫々のメガホン本体には吊り紐が紐通し部を通して装着され、夫々のメガホン本体は分離してそのメガホン本体同士を打ち合わせできるメガホンであって、前記メガホン本体の本体部分は略半円錐筒状をなし、その小径側の基端部は半円筒状をなしており、２個一組のメガホン本体は平面側を揃えた状態にて基端部において位置決めして組合せ、２個のメガホン本体の先端側の本体部が略円錐形状に、基端部が筒状をなすとともに、そのメガホン本体の一方の基端部に突出部を、他方の基端部に突出部に対する嵌合部を設けて、この突出部と嵌合部によって組合せ部を構成し、この組合せ部によって２個のメガホン本体は着脱自在に組み合わされており、該メガホン本体は略半円錐筒状部分と基端部との間に可撓性部を備え、その２個一組のメガホン本体はその組合せ部を分離した状態で一本ずつのメガホン本体同士を打ち合わせできるだけでなく、２個のメガホン本体の組合せ部による組合せ状態で両メガホン本体の先端側の本体部を可撓性部によって開閉させて打ち合わせできることを特徴とする。
【０００５】
従って、組合せ部にて２つのメガホン本体を揃えた状態にて組合わせれば、片手にて２つのメガホン本体同士を開閉させて打ち合わせることができる。このとき、両メガホン本体は、１つに組合わされて従来のメガホンのようなコンパクトで持ち運びやすい略円錐形状となる。
【０００６】
さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもできる。
【０００８】
また、組合せ部にて２つのメガホン本体を揃えた状態にて組合せることによって、その組合せ部を回動中心として、片手にて２つのメガホン本体同士を開閉させて打ち合わせることができる。さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもでき、両メガホン本体が略円錐筒状であるため、使い勝手もよいものとなる。
【００１０】
また、組合せ部にて２つのメガホン本体を組合わせたときには、メガホン本体の基端部が可撓性を有するため、片手にて２つのメガホン本体同士を開閉させて打ち合わせることができる。このとき、両メガホン本体は、１つに組合わされて従来のメガホンのようなコンパクトで持ち運びやすい略円錐形状となる。さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもできる。
【００１２】
また、組合せ部にて２つのメガホン本体を揃えた状態にて組合わせたときには、メガホン本体の基端部が可撓性を有するため、片手にて２つのメガホン本体同士を開閉させて打ち合わせることができる。さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもでき、両メガホン本体が略円錐筒状であるため、使い勝手もよいものとなる。
【００１３】
また、両メガホン本体の基端部の凹部と突起とを嵌合させることにより、両メガホン本体を正しく簡単に一体化することができ、又、凹部と突起の嵌合を外すことにより、簡単に両メガホン本体を分離することができる。
【００１４】
【発明の実施の形態】
本発明を具体化したメガホンの第１の実施例について説明する。
図１に示すように、このメガホン１は、合成樹脂から略半円錐筒状にて別体に形成された２個のメガホン本体２，３をその若干折れ曲がった基端部において組合せ、全体を略円錐形状としている。
【００１５】
前記メガホン本体２，３の基端部には、両者を位置決めして着脱自在に組合せるとともに、両メガホン本体２，３の先端側を開閉させるようにするための組合せ部４が設けられている。又、図２に示すように、前記両メガホン本体２，３の基端部には、吊り紐を通して装着するための紐通し部５が設けられている。
【００１６】
図３、図４に示すように、前記組合せ部４は、この実施例においては、一方のメガホン本体２の基端部に突設された軸部２ａと、他方のメガホン本体３の基端部に凹設された軸受け溝３ａとから構成されている。そして、その軸部２ａと軸受け溝３ａとが着脱自在に嵌合するとともに、前記両メガホン本体２，３を位置決めして両メガホン本体２，３の先端側を開閉できるようになっている。
尚、軸部２ａと軸受け溝３ａとの嵌合の強さは、実施に際して適宜選択すればよい。
【００１７】
次に、上記構成された本発明に係るメガホン１の作用について説明する。
上記メガホン１においては、前記組合せ部４にて２つのメガホン本体２，３を組合わせれば、一体化したメガホン１を片手にて保持し、手にて２つのメガホン本体２，３同士を開閉操作して拍子木のように打ち合わせることができる。このとき、両メガホン本体２，３は、１つに組合わされて従来のメガホンのようなコンパクトで持ち運びやすい略円錐形状となる。
【００１８】
さらに、両メガホン本体２，３は、組合せ部４の軸部２ａと軸受け溝３ａとにおいて着脱自在であり、図６に示すように両メガホン本体２，３を分離させることにより、両手にメガホン本体２，３を１つづつ持ってそのメガホン本体２，３同士を打ち合わせることもできる。もちろん、２つの分離したメガホン本体２，３をそれぞれ１つのメガホンのようにして使用することもできる。
【００１９】
前記両メガホン本体２，３を揃えて、組合せ部４の軸部２ａと軸受け溝３ａとを再び嵌合させれば１つのメガホン１として使用でき、片手にて２つのメガホン本体２，３同士を開閉させて拍子木のように打ち合わせることができる。
【００２０】
次に、本発明の第２の実施例について図７及び図８に従って説明するが、前記メガホン１と同様の部材については同一の符号を付して説明を省略する。
この実施例のメガホン１０においては、一方のメガホン本体２の基端部１３の一側面に２つの凹部（本明細書中においては、透孔も含む概念とする）１１が形成され、他方のメガホン本体３の基端部１３に形成された２つの突起１２と着脱自在に嵌合するようになっている。
尚、メガホン本体２，３の形状は、図７及び図８に示すような略半円錐筒状でも、それ以外の略円錐筒状であってもよい。
【００２１】
従って、このメガホン１０においては、両メガホン本体２，３の基端部１３の組合せ部４を構成する凹部１１と突起１２とを嵌合させることにより、両メガホン本体２，３を正しく簡単に一体化することができ、又、凹部１１と突起１２の嵌合を外すことにより、簡単に両メガホン本体２，３を分離できる。
尚、凹部（透孔を含む）１１と突起１２との嵌合の強さは、実施に際して適宜選択すればよい。
【００２２】
このメガホン１０は、両メガホン本体２，３の基端部１３の凹部１１と突起１２とを嵌合させて一体化した状態にて、基端部１３を持ち、両メガホン本体２，３の（基端部の）可撓性を利用してメガホン本体２，３同士を拍子木のように打ち合わせる（先端側を開閉させる）ことができる。
この作用は、主にメガホン本体２，３の慣性とメガホン本体２，３に加えられる衝撃を利用して達成されるが、手にて基端部１３の上方を握る力を強めたり弱めたりしても達成できる。
【００２３】
尚、このメガホン本体２，３の開閉操作をスムーズに行うために、メガホン本体２，３の基端部１３の上部等に特にメガホン本体２，３に柔軟性を付与するための（波状の）柔軟部１４を設けてもよい。
【００２４】
この第２の実施例の変形例として、図９及び図１０に示すようなメガホン１０として実施してもよい。
このメガホン１０は、一方のメガホン本体２の基端部１３にその長手方向に沿った（凹部としての）切溝１１が形成されており、他方のメガホン本体３の基端部１３にその長手方向に沿った突部１２が形成されている。従って、両メガホン本体２，３の基端部１３をスライドさせることにより、切溝１１と突部１２とを着脱自在に嵌合させて両メガホン本体２，３を組合せできる。
【００２５】
次に、本発明を具体化した第３の実施例について図１１に従って説明するが、前記メガホン１と同様の部材については同一の符号を付して説明を省略する。
この実施例のメガホン２０においては、略円錐筒状にて別体に形成された２個のメガホン本体２，３と、両メガホン本体２，３を基端部において位置決めして着脱自在に組合せ、両メガホン本体２，３の先端側を開閉させる回動中心として作用する組合せ部４（第１の実施例と同様の構成）と、を有している。
【００２６】
従って、組合せ部４にて２つのメガホン本体２，３を組合わせれば、その組合せ部４を回動中心として、片手にて２つのメガホン本体２，３同士を開閉させて打ち合わせることができる。さらに、２つのメガホン本体２，３は、着脱自在であり、メガホン本体２，３を分離させることにより、両手にメガホン本体２，３を１つづつ持ってそのメガホン本体２，３同士を打ち合わせることもできる。
もちろん、２つの分離したメガホン本体２，３をそれぞれ１つのメガホンのようにして使用することもできる。この場合、両メガホン本体２，３は略円錐筒状であるため、従来のオーソドックスなメガホンと形状が似ているため、使い勝手も従来のもののように良好となる。
【００２７】
本明細書中において、略半円錐筒状とは、断面が３日月状から半月状、さらには略楕円形状をも含む概念であり、多角形状であっても含まれる。又、略円錐筒状とは、断面が円形から略楕円形状をも含む概念であり、多角形状であっても含まれる。さらに、メガホン本体の形状は基端部から先端部まで同一（相似）の形状である必要はなく、途中から断面形状が変化するものであってもよい。
【００２８】
従って、本願発明のメガホン本体の形状は、先端側ほど拡開してメガホンとしての拡声作用を奏する形状であれば、多角形状であっても本件発明の概念に含まれるものとする。
【００２９】
又、上記各実施例においては、メガホン本体を組合わせた状態にてメガホン本体の先端側に隙間が形成されるようにしているが、この隙間は常時必要なわけではなく、両メガホン本体同士を拍子木のように打ち合わせるために、両メガホン本体の先端側に一時的にでも隙間が形成されればよい。さらに、両メガホン本体２，３の組合せ（連結）は、吊り紐若しくは別体のゴムバンド等にてメガホン本体２，３の基端部を縛り付けるようにして確保・維持するようにしてもよい。
【００３０】
本発明は、上記実施の形態に限定されるものではなく、上記メガホン本体や組合せ部の形状・構造を適宜変更する等、本発明の趣旨から逸脱しない範囲で各部の形状、構造、数量等を適宜変更しても良い。
【００３１】
【発明の効果】
以上詳述したように、請求項１に記載の発明によるメガホンは、組合せ部にて２つのメガホン本体を組合わせれば、片手にて２つのメガホン本体同士を開閉させて拍子木のように打ち合わせることができる。このとき、両メガホン本体は、１つに組合わされて従来のメガホンのようなコンパクトで持ち運びやすい略円錐形状となる。
さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもでき、従って、本願発明は、メガホンに新たな機能と利用価値を付加しており、その効果は顕著である。
【００３２】
また、組合せ部にて２つのメガホン本体を組合わせれば、その組合せ部を回動中心として、片手にて２つのメガホン本体同士を開閉させて打ち合わせることができる。さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもでき、両メガホン本体が略円錐筒状であるため、使い勝手もよいものとなるという優れた効果を奏する。
【００３３】
また、組合せ部にて２つのメガホン本体を組合わせれば、メガホン本体の基端部が可撓性を有するため、片手にて２つのメガホン本体同士を開閉させて拍子木のように打ち合わせることができる。このとき、両メガホン本体は、１つに組合わされて従来のメガホンのようなコンパクトで持ち運びやすい略円錐形状となる。さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもできる。
【００３４】
また、組合せ部にて２つのメガホン本体を組合わせれば、メガホン本体の基端部が可撓性を有するため、片手にて２つのメガホン本体同士を開閉させて打ち合わせることができる。さらに、２つのメガホン本体は着脱自在であり、メガホン本体を分離させることにより、両手にメガホン本体を１つづつ持ってそのメガホン本体同士を打ち合わせることもできる。もちろん、２つの分離したメガホン本体をそれぞれ１つのメガホンのようにして使用することもでき、両メガホン本体が略円錐筒状であるため、使い勝手もよいものとなるという優れた効果を奏する。
【００３５】
さらに、上記の効果に加え、両メガホン本体の基端部の凹部と突起とを嵌合させることにより、両メガホン本体を正しく簡単に一体化することができ、又、凹部と突起の嵌合を外すことにより、簡単に両メガホン本体を分離することができるという優れた効果を奏する。
【図面の簡単な説明】
【図１】  本発明のメガホンの好適実施例の斜視図である。
【図２】  本発明のメガホンの基端部側を示す底面図である。
【図３】  本発明のメガホンの長手方向断面図である。
【図４】  本発明のメガホンの組合せ部の断面図である。
【図５】  本発明のメガホンの先端側を開いた状態の側面図である。
【図６】  本発明のメガホンのメガホン本体を分離した状態の側面図である。
【図７】  本発明のメガホンの第２の実施例の斜視図である。
【図８】  本発明のメガホンの第２の実施例の分解斜視図である。
【図９】  本発明のメガホンの第２の実施例の変形例の斜視図である。
【図１０】  本発明のメガホンの第２の実施例の変形例の部分拡大斜視図である。
【図１１】  本発明のメガホンの第３の実施例の斜視図である。
【符号の説明】
１    メガホン
２    メガホン本体
２ａ  軸部
３ａ  軸受け溝
４    組合せ部
５    紐通し部
１０  メガホン
１１  凹部
１２  突起
１３  基端部
１４  柔軟部
２０  メガホン
【図１】
0003636833.tif 000002
【図２】
0003636833.tif 000003
【図３】
0003636833.tif 000004
【図４】
0003636833.tif 000005
【図５】
0003636833.tif 000006
【図６】
0003636833.tif 000007
【図７】
0003636833.tif 000008
【図８】
0003636833.tif 000009
【図９】
0003636833.tif 000010
【図１０】
0003636833.tif 000011
【図１１】
0003636833.tif 000012